(57)【要約】      （修正有）【課題】筒型内において、上型と下型とで圧縮されて製造され、凸球面状のおもて面に凹凸模様を形成した圧縮固化タオルにおいて、亀裂の生じない製品を提供する。【解決手段】筒型内において、下面が凸球面である上型と、上面が模様溝を有する凹球面である下型との間で圧縮固化される圧縮固化タオル１において、そのおもて面２を、下型によって凹凸模様４を有する凸球面状に形成し、裏面３を、上型によって、凹球面状に形成する。これにより、外周端部に亀裂が発生せず、小型で携帯に便利な圧縮固化タオル１を提供できる。【選択図】図４
0003143937.tif 000002
【実用新案登録請求の範囲】
【請求項１】
筒型（１１）内において，下面が凸球面（１２ａ）である上型（１２）と，上面が模様溝（１３ｂ）を有する凹球面（１３ａ）である下型（１３）との間で圧縮固化される圧縮固化タオルであって、おもて面（２）が，前記下型によって凹凸模様（４）を有する凸球面状に形成され、裏面（３）が，前記上型によって，凹球面状に形成されたものである圧縮固化タオル。
【請求項２】
円筒形状の筒型（１１）内において，下面が凸球面（１２ａ）である略円柱形状の上型（１２）と，上面が，模様溝（１３ｂ）を有し，前記凸球面の曲率半径（Ｒａ）に対しプラスマイナス１０％の曲率半径（Ｒｂ）で構成されたところの凹球面（１３ａ）である略円柱形状の下型（１３）との間で圧縮固化される圧縮固化タオルであって、おもて面（２）が，前記下型によって凹凸模様（４）を有する凸球面状に形成され、裏面（３）が，前記上型によって，凹球面状に形成されたものであることを特徴とする圧縮固化タオル。
【請求項３】
円筒形状の筒型（１１）内において，下面が凸球面（１２ａ）である略円柱形状の上型（１２）と，上面が，模様溝（１３ｂ）を有し，前記凸球面の曲率半径（Ｒａ）に対しプラスマイナス１０％の曲率半径（Ｒｂ）で構成されたところの凹球面（１３ａ）である略円柱形状の下型（１３）との間で圧縮固化される圧縮固化タオルであって、おもて面（２）が，前記下型によって凹凸模様４を有する凸球面状に形成され、裏面（３）が，前記上型によって，凹球面状に形成され、前記凹凸模様が薔薇の花弁であり，タオル（１ａ）の色彩が薔薇の花弁と同一または類似し，かつ，略円板状であることを特徴とする圧縮固化タオル。
【考案の詳細な説明】
【技術分野】
【０００１】
本考案は、凸球面状のおもて面に凹凸模様を形成した圧縮固化タオルに関するものである。
【背景技術】
【０００２】
例えば、旅行などの際にはタオルを携帯することが多いが、通常のタオルは意外と嵩張るため、持ち運びに不便である。また、通常のタオルは普通に折り畳んだ状態で市販されているため、形状的に面白味がなく、商品価値も高いとは言えない。
【０００３】
本考案者らは、こうした点に鑑み、小型で、かつ形状的に面白味のある圧縮固化タオルを製造することを創案し、そのために、まずおもて面に凹凸模様を形成することを考えた。同時に、立体感を現出するために、そのおもて面を平坦ではなく凸球面状に形成することを考えた。これにより、凸球面状のおもて面に凹凸模様が現れるので、きわめて立体感に富み、形状的に面白味のある圧縮固化タオルを提供することができると考えた。
【０００４】
そして、それを実現するために、図１に示す試作金型２０を製造して使用した。この試作金型２０は、筒型２１、上型２２、下型２３を備え、下型２３の上面に、圧縮固化タオルのおもて面に凹凸模様を形成するための模様溝２３ａを刻設し、かつ、当該おもて面を凸球面状とするために凹球面状に形成している。なお、上型２２の下面は平坦面２２ａとした。
【０００５】
そして、筒型２１内において、この上型２２と下型２３とであらかじめ丸めておいたタオルを圧縮して固化し、これによって凸球面状のおもて面３１に凹凸模様３３を形成した圧縮固化タオル３０を製造した。こうして製造したタオル３０は、図２に示すように、おもて面３１が、凹凸模様３３が形成された凸球面状であり、裏面３２は上型２２の下面に対応した平坦状である。
【考案の開示】
【考案が解決しようとする課題】
【０００６】
しかし、こうして製造した圧縮固化タオル３０を解してみると、外周端部分に亀裂が生じていることを確認した。この亀裂の原因を調べたところ、上型２２の下面が平坦であるため、その上型２２の下面と、下型２３の外周端部分である円周突起部２３ｂとが接触する部分の圧縮率が他の箇所より大きいからであることを見出した。
【０００７】
本考案はこうした問題を解決すべく創案されたもので、筒型内において、上型と下型とで圧縮されて製造され、凸球面状のおもて面に凹凸模様を形成した圧縮固化タオルにおいて、亀裂の生じない製品を提供することを課題とする。
【課題を解決するための手段】
【０００８】
図３乃至図９を参照して説明する。請求項１に記載の圧縮固化タオル１は、筒型１１内において、下面が凸球面１２ａである上型１２と、上面が模様溝１３ｂを有する凹球面１３ａである下型１３との間で圧縮固化されるものであって、おもて面２が、前記下型１３によって凹凸模様４を有する凸球面状に形成され、裏面３が、前記上型１２によって、凹球面状に形成されたものである。
【０００９】
請求項２に記載の圧縮固化タオル１は、円筒形状の筒型１１内において、下面が凸球面１２ａである略円柱形状の上型１２と、上面が、模様溝１３ｂを有し、前記凸球面１２ａの曲率半径Ｒａに対しプラスマイナス１０％の曲率半径Ｒｂで構成されたところの凹球面１３ａである略円柱形状の下型１３との間で圧縮固化されるものであって、おもて面２が、前記下型１３によって凹凸模様４を有する凸球面状に形成され、裏面３が、前記上型１２によって、凹球面状に形成されたものであることを特徴とする。
【００１０】
請求項３に記載の圧縮固化タオル１は、円筒形状の筒型１１内において、下面が凸球面１２ａである略円柱形状の上型１２と、上面が、模様溝１３ｂを有し、前記凸球面１２ａの曲率半径Ｒａに対しプラスマイナス１０％の曲率半径Ｒｂで構成されたところの凹球面１３ａである略円柱形状の下型１３との間で圧縮固化される短尺略円柱形状のものであって、おもて面２が、前記下型１３によって凹凸模様４を有する凸球面状に形成され、裏面３が、前記上型１２によって、凹球面状に形成され、前記凹凸模様４が薔薇の花弁であり、タオルの色彩が薔薇の花弁と同一または類似し、かつ、略円板状であることを特徴とする。
【考案の効果】
【００１１】
請求項１に記載の圧縮固化タオル１は、筒型１１内において、下面が凸球面１２ａである上型１２と、上面が模様溝１３ｂを有する凹球面１３ａである下型１３との間で圧縮固化され、おもて面２が、下型１３によって凹凸模様４を有する凸球面状に形成され、裏面３が、上型１２によって、凹球面状に形成されたものであるので、タオルのどの部分にも亀裂が生じない。
【００１２】
すなわち、この圧縮固化タオル１の裏面３は、上型１２の凸球面１２ａによって凹球面状に形成されており、従って、タオルは、上型１２と下型１３とで圧縮固化された際に、その全体が均等に圧縮される。従って、試作金型のように、上型１２と、下型１３の一部（円周突起部２３ｂ）が接触する部分の圧縮率が他の箇所より大きいといった事態を回避することができる。これにより、圧縮固化タオル１に亀裂が生じるのを未然に防止することができる。
【００１３】
請求項２に記載の圧縮固化タオル１は、請求項１に記載の考案と同様の効果を発揮する。また、筒型１１が円筒形状であり、上型１２と下型１３が略円柱形状であるため、円柱形状の圧縮固化タオル１を形成することができる。また、上型１２の凸球面１２ａの曲率半径Ｒａに対し下型１３の凹球面１３ａがプラスマイナス１０％の曲率半径Ｒｂで構成されているので、タオルの全体に、より均等な圧力を加えることができる。これによって、亀裂の発生をさらに確実に防止することができる。なお、Ｒａに対するＲｂの割合がプラスマイナス１０％を越えたときには、圧力斑を生じ、タオル地に亀裂を生じることがある。
【００１４】
請求項３に記載の圧縮固化タオル１は、請求項１および２に記載の考案と同様の効果を発揮する。また、この圧縮固化タオル１は、その凹凸模様４が薔薇の花弁であり、タオルの色彩が薔薇の花弁と同一または類似であり、さらに、略円板状であるので、その実際の薔薇の花弁にきわめて近似している。従って、形状に面白味があり、商品価値も高い。
【考案を実施するための最良の形態】
【００１５】
本考案に係る圧縮固化タオル１の実施形態を、図３乃至図５に示す。この圧縮固化タオル１は、正方形のハンドタオルを圧縮して製造したものであり、全体形状が略円板状で、そのおもて面２が、凹凸模様４を有する凸球面状に形成され、裏面３が、凹球面状に形成されている。また、凹凸模様４が薔薇の花弁であり、タオルの色彩が実物の薔薇の花弁と同一色（淡紅色、深紅、白色など）である。従って、形状に面白味があり、また、お洒落であり、携帯にきわめて便利である。
【００１６】
この圧縮固化タオル１は、図６に示すように、筒型１１と、その内部に挿入される上型１２と下型１３を備える金型１０によって形成されたものである。筒型１１は円筒形状であり、上型１２は、その下面が凸球面１２ａである略円柱形状を成している。また、下型１３は、その上面が、上型１２の凸球面１２ａの曲率半径Ｒａに対しプラスマイナス１０％の曲率半径Ｒｂで構成された凹球面１３ａに形成されている。
【００１７】
当該圧縮固化タオル１は、図７乃至図９に示すように製造される。まず、正方形のハンドタオルを二つ折りし（図７（ａ）（ｂ））、次に、同じ方向に複数回折り畳む（本実施形態では三つ折り）（同（ｃ））。続いて、長手方向に渦巻き状に巻き込んで半製品１ｂとする（同（ｄ））。このときの半製品１ｂの平面図を図８に示す。そして、この半製品１ｂを、筒型１１内の下型１３の上に載せた後（図９（ａ））、上型１２を下降して下型１３との間で圧縮する（同（ｂ））。これにより、半製品１ｂは固化され、圧縮固化タオル１に形成される。
【００１８】
この圧縮固化タオル１は、下型１３の凹球面１３ａと、それと同一曲率半径Ｒである上型１２の凸球面１２ａとの間で圧縮されるので、その全体が均等に圧縮される。従って、部分的に圧縮率が高くなり、その部分に亀裂が生じるといった事態を未然に防止することができる。これにより、小型で形態に便利であり、形状に面白味があり、さらにタオルとしての使用性に優れる圧縮固化タオル１を提供することができる。
【００１９】
なお、上記実施形態に係る圧縮固化タオル１は略平板状に形成して、凹凸模様４を薔薇の花弁としているが、本考案はこれに限定されるものではなく、他の形状および凹凸模様４に形成することができる。例えば、略円板状として牡丹の花弁としたり、略長円板状として百合の花の全体を凹凸模様４で現出したり、さらには、矩形板状として、動物を凹凸模様４で現出することもできる。その場合、タオルの色は、凹凸模様４で現出する物に対応させることができる。
【産業上の利用可能性】
【００２０】
本発明に係る圧縮固化タオルは、タオルの他に、さらしやメリヤスなどの他の布を使用して製造することも可能であり、布製品製造産業一般において応用することができる。
【図面の簡単な説明】
【００２１】
【図１】試作金型を示す断面図である。
【図２】図１に示す試作金型によって製造した圧縮固化タオルを示す正面図である。
【図３】本考案の実施形態に係る圧縮固化タオルを示す平面図である。
【図４】図３に示す圧縮固化タオルの正面図である。
【図５】図３のＡ−Ａ線断面図である。
【図６】本考案の実施形態に係る圧縮固化タオルを製造する金型を示す断面図である。
【図７】本考案の実施形態に係る圧縮固化タオルを製造する工程を示す説明図である（タオルから半製品にするまでの工程）。
【図８】図７（ｄ）に示す半製品の拡大平面図である。
【図９】本考案の実施形態に係る圧縮固化タオルを製造する工程を示す説明図である（半製品から圧縮固化タオルを製造する工程）。
【符号の説明】
【００２２】
１        圧縮固化タオル
１ａ      タオル
１ｂ      半製品
２        おもて面
３        裏面
４        凹凸模様
１０      金型
１１      筒型
１２      上型
１２ａ    凸球面
１３      下型
１３ａ    凹球面
１３ｂ    模様溝
２０      試作金型
２１      筒型
２２      上型
２２ａ    平坦面
２３      下型
２３ａ    模様溝
２３ｂ    円周突起部
３０      圧縮固化タオル
３１      おもて面
３２      裏面
３３      凹凸模様
Ｒａ      凸球面の曲率半径
Ｒｂ      凹球面の曲率半径
【図１】
0003143937.tif 000003
【図２】
0003143937.tif 000004
【図３】
0003143937.tif 000005
【図４】
0003143937.tif 000006
【図５】
0003143937.tif 000007
【図６】
0003143937.tif 000008
【図７】
0003143937.tif 000009
【図８】
0003143937.tif 000010
【図９】
0003143937.tif 000011
【手続補正書】
【提出日】平成20年6月3日(2008.6.3)
【手続補正１】
【補正対象書類名】明細書
【補正対象項目名】００１２
【補正方法】変更
【補正の内容】
【００１２】
すなわち、この圧縮固化タオル１の裏面３は、上型１２の凸球面１２ａによって凹球面状に形成されており、従って、タオルは、上型１２と下型１３とで圧縮固化された際に、その全体が均等に圧縮される。従って、試作金型のように、上型２２と、下型２３の一部（円周突起部２３ｂ）とが接触するタオル部分の圧縮率が他の箇所より大きいといった事態を回避することができる。これにより、圧縮固化タオル１に亀裂が生じるのを未然に防止することができる。